(57)【要約】      （修正有）【課題】手袋に付設された中身の見える袋にメモを入れ、取り出さずにそのまま見る事が出来る収納袋付装飾手袋を提案する。【解決手段】手袋本体１に、袋状のポケット２を付設し、該袋状のポケットは外側から内容物が確認でき、かつ、伸縮性を有する部材で形成して収納袋付装飾手袋を成す。【選択図】図２
0003164439.tif 000002
【実用新案登録請求の範囲】
【請求項１】
手に嵌める袋状の物に、袋状のポケットを装着した事を特徴とする、収納袋付装飾手袋。
【請求項２】
手袋に付設された収納袋は外側から内容物が確認できる事を特徴とする請求項１記載の収納袋付装飾手袋。
【請求項３】
手袋に付設された収納袋はメモなど収納した場合、中の文字が見え、読める表面である事を特徴とする請求項１記載の収納袋付装飾手袋。
【請求項４】
手袋に付設された収納袋の袋及び、出し入れ口は伸縮性のあることを特徴とする請求項１記載の収納袋付装飾手袋。
【請求項５】
手に嵌める多種多様の形状の手袋に、請求項２、請求項３、請求項４を特徴とする請求項１記載の収納袋付装飾手袋。
【考案の詳細な説明】
【技術分野】
【０００１】  本考案は手の保護や装飾のために手に嵌める袋状のもので手袋に関するものである。
【背景技術】
【０００２】  従来、買物、旅行などの外出時にメモ、切符等を見失ったり、又、紛失したりすることも多々ある。【０００３】  メモ、切符等をポケット・バッグ等に収納した場合、出し入れに面倒、手間がかかる。又、収納物の確認がしにくい。
【先行技術文献】
【０００４】
【特許文献１】特許公開２００１−０７３２１０
【特許文献２】登録実用新案第３０３０２２５号
【特許文献３】特許公開２００９−１７４１０１
【特許文献４】登録実用新案第３１０１６２４号
【特許文献５】実用新案公開平６−０１０３１３
【０００５】  手袋は手の防寒や作業時の安全等の為、使用されている。又紫外線から守るための保護や貴重品を扱う時、装飾的な場面で見られる。
【０００６】  特許文献１，２，３は、手を寒さや、熱から守るためカイロや保冷剤を手袋に付設されたポケットの中に入れる事を目的としている。
【０００７】  また、特許文献４，５はポケットの出し入れ口にジッパーを付けたものである。
【０００８】  ところで、買物の時、片方の手にメモを持ち、片方の手で壊れやすい物や大きい物など持ったり、購入物を選んだりする事は容易でない。
【考案の概要】
【考案が解決しようとする課題】
【０００９】  メモ、切符など衣服のポケット、バッグに収納した場合、探したりする事や、出し入れに手間がかかり煩わしい。また、収納物が確認しにくい。【００１０】  買物の時、メモを手に持って見ながら、空いている片方の手で品物を持ったり見たりする動作がしにくい。【００１１】  メモや切符などを手にしたまま、両手両指を使える状態にするには、メモが手から離れ紛失しやすい。【００１２】  この考案は上述したような課題を解決するためになされたものであって、手袋に付けられた収納袋にメモを入れそのまま見ながら用が足せ、物忘れ防止や紛失防止等便利に使用出来る事を目的とする。
【課題が解決するための手段】
【００１３】  そこで上記課題を達成すべく本考案にかかわる収納袋付装飾手袋は次のような手段を採用する。
【００１４】  請求項１記載の収納袋付装飾手袋は手袋に袋状のポケットを装着した収納袋付装飾手袋である。
【００１５】  請求項２記載の収納袋付装飾手袋は外側から物の有無が確認できる。
【００１６】  請求項３記載の収納袋付装飾手袋は収納袋に入れたメモを取り出さずに中の文字が見える表面となる。
【００１７】  請求項４記載の収納袋付装飾手袋は袋の部分と出し入れ口、共に伸縮性が有り物の出し入れがし易く、また落ちにくい。
【００１８】  請求項５記載の収納袋付装飾手袋は手に嵌める多種多様の形状の手袋を有する。
【００１９】  請求項１、請求項２、請求項３、請求項４、請求項５記載の収納袋付装飾手袋は他の手袋と重ねて使用することも可能である。
【考案の効果】
【００２０】  以上のことから本考案に係る収納袋付装飾手袋は中に入れた物が外側から見え、物の確認がし易く、物を探す煩わしさも一掃した、収納ポケットを備えた手袋で、手に嵌めただけで装飾的な役割と身近に身に着けることによって紛失防止にも役立つ。
【００２１】  また、収納袋付装飾手袋は収納袋に入れた切符等は簡単に取り出しやすく収納もし易い。
【００２２】  収納袋付装飾手袋に納めたメモは取り出さずに外側から文字が見えて便利。
【００２３】  メモを手指に持たずに収納袋付装飾手袋に入れたまま見ながら旅行やショッピングができる。
【００２４】  両手両指を使って買物の品質確認や手に持ったりする動作も可能である。
【図面の簡単な説明】
【００２５】
【図１】本考案に係る収納袋付装飾手袋の実施例の手の甲側の外観斜視図である。
【図２】本考案に係る収納袋付装飾手袋の実施例の図１の手のひら側の外観斜図である。
【図３】請求項５の収納袋付装飾手袋の５指の指先まである手袋の正面図である。
【図４】請求項５の収納袋付装飾手袋の５指の指が半分まで有り指先のない手袋の正面図である。
【図５】請求項５の収納袋付装飾手袋の親指と、他の４指が一体となったミトン手袋の正面図である。
【考案を実施するための形態】
【００２６】  この収納袋付装飾手袋は手のひら側の外側と手の甲側の外側に収納袋が設けられている。
【００２７】  又、この収納袋付装飾手袋に付設された収納袋は伸縮性がある。又、袋の出し入れ口も物の出し入れがし易いように、伸縮性はあるが落ちにくい収納袋とする。
【００２８】  収納袋付装飾手袋に付設された収納袋は中の文字が見え、又、中身が確認できる。
【００２９】  収納袋付装飾手袋と他の手袋を重ねて使用することも可能な手袋である。
【実施例】
【００３０】  以下添付図面を参照しつつ本考案に係る収納袋付装飾手袋の実施例について詳細に説明する。この収納袋付装飾手袋は手のひら側の外側と手の甲側の外側に中身が確認出来、中のメモがみられる収納袋が付設されている。【００３１】  図１は、本考案に係る収納袋付装飾手袋を手に装着した手の甲外側の外観斜視図である。【００３２】  図２は、本考案に係る収納袋付装飾手袋を手に装着した手のひら側の外観斜視図である。【００３３】  図３は、本考案に係る収納袋付装飾手袋の全指が有り、指先まであるものである。【００３４】  図４は、本考案に係る収納袋付装飾手袋の全指が有り、指先のない指半分の手袋である。図５は、親指が指先まであり、４指が一体となったミトン手袋である。【００３５】図１、図２、図３、図４、図５の、１の部分は手袋本体を示す。２の部分は収納袋で、３の部分は収納袋の物の出し入れ口である。【００３６】  図１、図２、図３、図４、図５の３よりメモなどを入れ、必要な時に中のメモなどを見る。収納袋付装飾手袋の収納袋に入れた物は３より出し入れする。【００３７】  収納物の収納は手の甲側の袋、手のひら側の袋、どちらも利用できる。【００３８】  また、他の手袋と重ねて手に嵌める事も可能である。
【産業上の利用可能性】
【００３９】    スーパー従業員など、手順など物忘れ防止に手に書いたり、又、ポケットにメモ等入れたりしていたが、収納袋付装飾手袋に入れたまま、中の文字が見え便利に役立つと思う。
【符号の説明】
【００４０】１、手袋
２、収納袋
３、収納袋出し入れ口
【図１】
0003164439.tif 000003
【図２】
0003164439.tif 000004
【図３】
0003164439.tif 000005
【図４】
0003164439.tif 000006
【図５】
0003164439.tif 000007
【手続補正書】
【提出日】平成22年9月11日(2010.9.11)
【手続補正１】
【補正対象書類名】実用新案登録請求の範囲
【補正対象項目名】全文
【補正方法】変更
【補正の内容】
【実用新案登録請求の範囲】
【請求項１】
手袋本体に、袋状のポケットを付設したことを特徴とする、収納袋付装飾手袋。
【請求項２】
手袋本体に付設された袋状のポケットは外側から内容物が確認できる部材で形成してなる請求項１記載の収納袋付装飾手袋。
【請求項３】
手袋本体に付設された袋状のポケットは伸縮性を有する部材で形成してなる請求項１又は請求項２記載の収納袋付装飾手袋。
【手続補正２】
【補正対象書類名】明細書
【補正対象項目名】全文
【補正方法】変更
【補正の内容】
【考案の詳細な説明】
【技術分野】
【０００１】  本考案は手の保護や装飾のために手に嵌める袋状のもので所謂手袋に関するものである。
【背景技術】
【０００２】  従来、買物、旅行などの外出時にメモ、切符等を見失ったり、又、紛失したりすることも多々ある。【０００３】  メモ、切符等をポケット・バッグ等に収納した場合、出し入れに面倒、手間がかかる。又、収納物の確認がしにくい。
【先行技術文献】
【０００４】
【特許文献１】特許公開２００１−０７３２１０
【特許文献２】登録実用新案第３０３０２２５号
【特許文献３】特許公開２００９−１７４１０１
【特許文献４】登録実用新案第３１０１６２４号
【特許文献５】実用新案公開平６−０１０３１３
【０００５】  手袋は手の防寒や作業時の安全等の為、使用されている。又紫外線から守るための保護や貴重品を扱う時、装飾的な場面で見られる。
【０００６】  特許文献１，２，３は、手を寒さや、熱から守るためカイロや保冷剤を手袋に付設されたポケットの中に入れる事を目的としている。
【０００７】  また、特許文献４，５はポケットの出し入れ口にジッパーを付けたものである。
【０００８】  ところで、買物の時、片方の手にメモを持ち、片方の手で壊れやすい物や大きい物など持ったり、購入物を選んだりする事は容易でない。
【考案の概要】
【考案が解決しようとする課題】
【０００９】  メモ、切符など衣服のポケット、バッグに収納した場合、探したりする事や、出し入れに手間がかかり煩わしい。また、収納物が確認しにくい。【００１０】  買物の時、メモを手に持って見ながら、空いている片方の手で品物を持ったり見たりする動作がしにくい。【００１１】  メモや切符などを手にしたまま、両手両指を使える状態にするには、メモが手から離れ紛失しやすい。【００１２】  この考案は上述したような課題を解決するためになされたものであって、手袋に付けられた収納袋にメモを入れそのまま見ながら用が足せ、物忘れ防止や紛失防止等便利に使用出来る事を目的とする。
【課題が解決するための手段】
【００１３】  そこで上記課題を達成すべく本考案にかかわる収納袋付装飾手袋は次のような手段を採用する。
【００１４】  請求項１記載の収納袋付装飾手袋は手袋本体に袋状のポケットを装着した収納袋付装飾手袋である。
【００１５】  請求項２の収納袋付装飾手袋は袋状のポケットを外側から内容物が確認できる部材で形成しており、従って袋状のポケットに入れたメモ等を取り出すことなく中の文字が見える。
【００１６】  請求項３記載の収納袋付装飾手袋は袋状のポケットを伸縮性を有する部材で形成している為、ポケット自体は勿論のこと出し入れ口も伸縮性があり、ポケットの収納物の出し入れがし易く、また落ちにくい。
【００１７】  納袋付手袋は伸縮性を有する部材で形成しているため、他の手袋と重ねて使用することも可能である。
【考案の効果】
【００１８】  以上のことから本考案に係る収納袋付装飾手袋は中に入れた物が外側から見え、物の確認がし易く、物を探す煩わしさも一掃した、収納ポケットを備えた手袋で、手に嵌めただけで装飾的な役割と身近に身に着けることによって、粉失防止にも役立つ。
【００１９】  また、収納袋付装飾手袋は収納袋に入れた切符等は簡単に取り出しやすく、収納もし易い。
【００２０】  収納袋付装飾手袋に納めたメモは取り出さずに外側から文字が見えて便利。
【００２１】  メモを手指に持たずに収納袋付装飾手袋に入れたまま見ながら旅行やショッピングができる。
【００２２】  両手両指を使って買物の品質確認や手に持ったりする動作も可能である。
【図面の簡単な説明】
【００２３】
【図１】本考案に係る収納袋付装飾手袋の実施例の手の甲側の外観斜図である。
【図２】本考案に係る収納袋付装飾手袋の実施例の図１の手のひら側の外観斜図である。
【図３】収納袋付装飾手袋の５指の指先まである手袋本体の場合の正面図である。
【図４】収納袋付装飾手袋の５指の指が半分まで有り指先のない手袋本体の場の正面図である。
【図５】収納袋付装飾手袋の親指と、他の４指が一体となったミトン手袋の場合の正面図である。
【考案を実施するための形態】
【００２４】  この収納袋付装飾手袋は手のひら側の外側と手の甲側の外側に収納袋が設けられている。
【００２５】  又、この収納袋付装飾手袋に付設された収納袋は伸縮性がある。又、袋の出し入れ口も物の出し入れがし易いように、伸縮性はあるが、落ちにくい収納袋とする。
【００２６】  収納袋付装飾手袋に付設された収納袋は中の文字が見え、又、中身が確認できる。
【００２７】  収納袋付装飾手袋と他の手袋を重ねて使用することも可能な手袋である。
【実施例】
【００２８】  以下添付図面を参照しつつ本考案に係る収納袋付装飾手袋の実施例について詳細に説明する。この収納袋付装飾手袋は手のひら側の外側と手の甲側の外側に中身が確認出来、中のメモがみられる収納袋が付設されている。【００２９】  図１は、本考案に係る収納袋付装飾手袋を手に装着した手の甲外側の外観斜視図である。【００３０】  図２は、本考案に係る収納袋付装飾手袋を手に装着した手のひら側の外観斜視図である。【００３１】  図３は、本考案に係る収納袋付装飾手袋の全指が有り、指先まであるものである。【００３２】  図４は、本考案に係る収納袋付装飾手袋の全指が有り、指先のない指半分の手袋である。【００３３】  図５は、親指が指先まであり、４指が一体となったミトン手袋である。【００３４】  図１、図２、図３、図４、図５の、１の部分は手袋本体を示す。
２の部分は収納袋で、３の部分は収納袋の物の出し入れ口である。【００３５】  図１、図２、図３、図４、図５の３よりメモなどを入れ、必要な時に中のメモなどを見る。【００３６】  収納袋付装飾手袋の収納袋に入れた物は３より出し入れする。【００３７】  収納物の収納は手の甲側の袋、手のひら側の袋、どちらも利用できる。【００３８】  また、他の手袋と重ねて手に嵌める事も可能である。
【産業上の利用可能性】
【００３９】  スーパー従業員など、手順など物忘れ防止に手に書いたり、又、ポケットにメモ等入れたりしていたが、収納袋付装飾手袋に入れたまま、中の文字が見え便利に役立つと思う。
【符号の説明】
【００４０】  １、手袋本体
２、ポケット部
３、ポケット出し入れ口